【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
ラベル部、および前記ラベル部が貼付された台紙、を有するラベル用紙に対して液体を吐出する液体吐出装置から送られてきた前記ラベル用紙を保持する保持状態と、前記ラベル用紙が移動可能である前記ラベル用紙を保持しない非保持状態と、になり得る保持部と、
前記ラベル用紙が前記液体吐出装置から前記保持部に向かう方向に送られる送り経路において前記保持部よりも下流側に設けられ、前記台紙から前記ラベル部を剥離する剥離部と、を備え、
前記剥離部は、
第１位置と、前記第１位置より前記保持部に近い第２位置との間で移動可能であり、前記台紙を折り返す剥離部材と、
前記送り経路において前記剥離部材よりも下流側に設けられ、前記ラベル用紙を送る送り部と、を有し、
前記剥離部材は、前記保持部により保持された状態で前記送り部により送られる前記ラベル用紙により押圧されることで、前記第１位置から前記第２位置に向かう方向に移動する、ラベル剥離装置。
【請求項２】
前記剥離部材の前記第１位置から前記第２位置に向かう方向への移動に対して負荷を与える負荷付与部、を備える、請求項１に記載のラベル剥離装置。
【請求項３】
前記剥離部材を前記第２位置から前記第１位置に向かう方向へ移動させる駆動源と、
プーリーを含み、前記駆動源の駆動力を前記剥離部材に伝達する動力伝達機構と、を有し、
前記駆動源が前記プーリーを第１回転方向に回転駆動することにより、前記剥離部材が前記第２位置から前記第１位置に向かう方向に移動し、
前記プーリーは、前記剥離部材が前記第１位置から前記第２位置に向かう方向に移動する際に、前記第１回転方向とは逆の第２回転方向に回転し、
前記負荷付与部は、前記プーリーに連結され、前記プーリーの前記第２回転方向への回転トルクを制限するトルクリミッター、を有する、請求項２に記載のラベル剥離装置。
【請求項４】
前記剥離部材の前記第１位置から前記第２位置に向かう方向への移動に連動して第２回転方向に回転するプーリーを備え、
前記負荷付与部は、前記プーリーに連結され、前記プーリーの前記第２回転方向への回転トルクを制限するトルクリミッターを有する、請求項２に記載のラベル剥離装置。
【請求項５】
前記剥離部材は、前記保持部から前記剥離部材に至る送り経路面に略平行な面内において、揺動可能に設けられている、請求項１ないし４のいずれか一項に記載のラベル剥離装置。
【請求項６】
ラベル部、および前記ラベル部が貼付された台紙、を有するラベル用紙に対して液体を吐出する液体吐出部と、
前記液体吐出部により液体が吐出された前記ラベル用紙を保持する保持状態と、前記ラベル用紙が移動可能である前記ラベル用紙を保持しない非保持状態と、になり得る保持部と、
前記ラベル用紙が前記液体吐出部から前記保持部に向かう方向に送られる送り経路において前記保持部よりも下流側に設けられ、前記台紙から前記ラベル部を剥離する剥離部と、を備え、
前記剥離部は、
第１位置と、前記第１位置より前記保持部に近い第２位置との間で移動可能であり、前記台紙を折り返す剥離部材と、
前記送り経路において前記剥離部材よりも下流側に設けられ、前記ラベル用紙を送る送り部と、を有し、
前記剥離部材は、前記保持部により保持された状態で前記送り部により送られる前記ラベル用紙により押圧されることで、前記第１位置から前記第２位置に向かう方向に移動する、液体吐出装置。
【請求項７】
液体吐出装置により液体が吐出され、前記液体吐出装置から送られるラベル用紙を、保持部により保持し、
前記保持部により保持された状態で、前記ラベル用紙が前記液体吐出装置から前記保持部に向かう方向に送られる送り経路において前記保持部よりも下流側に設けられ、台紙を折り返す剥離部材より、前記送り経路において下流側に設けられる送り部により前記台紙を送り、
前記剥離部材が、前記保持部により保持された状態で前記送り部により送られる前記前記台紙により、第１位置から、前記第１位置より前記保持部に近い第２位置に向かう方向に押圧され、前記剥離部材の前記第１位置から前記第２位置に向かう方向の移動により、前記台紙からラベル部が剥離される、ラベル剥離方法。
【手続補正２】
【補正対象書類名】明細書
【補正対象項目名】０００６
【補正方法】変更
【補正の内容】
【０００６】
本発明のラベル剥離装置は、ラベル部、およびラベル部が貼付された台紙、を有するラベル用紙に対して液体を吐出する液体吐出装置から送られてきたラベル用紙を保持する保持状態と、ラベル用紙が移動可能であるラベル用紙を保持しない非保持状態と、になり得る保持部と、ラベル用紙が液体吐出装置から保持部に向かう方向に送られる送り経路において保持部よりも下流側に設けられ、台紙からラベル部を剥離する剥離部と、を備え、剥離部は、第１位置と、第１位置より保持部に近い第２位置との間で移動可能であり、台紙を折り返す剥離部材と、送り経路において剥離部材よりも下流側に設けられ、ラベル用紙を送る送り部と、を有し、剥離部材は、保持部により保持された状態で送り部により送られるラベル用紙により押圧されることで、第１位置から第２位置に向かう方向に移動する。
この場合、剥離部材の第１位置から第２位置に向かう方向への移動に対して負荷を与える負荷付与部、を備えることが好ましい。
この場合、剥離部材を第２位置から第１位置に向かう方向へ移動させる駆動源と、プーリーを含み、駆動源の駆動力を剥離部材に伝達する動力伝達機構と、を有し、駆動源がプーリーを第１回転方向に回転駆動することにより、剥離部材が第２位置から第１位置に向かう方向に移動し、プーリーは、剥離部材が第１位置から第２位置に向かう方向に移動する際に、第１回転方向とは逆の第２回転方向に回転し、負荷付与部は、プーリーに連結され、プーリーの第２回転方向への回転トルクを制限するトルクリミッター、を有することが好ましい。
この場合、剥離部材の第１位置から第２位置に向かう方向への移動に連動して第２回転方向に回転するプーリーを備え、負荷付与部は、プーリーに連結され、プーリーの第２回転方向への回転トルクを制限するトルクリミッターを有することが好ましい。
この場合、剥離部材は、保持部から剥離部材に至る送り経路面に略平行な面内において、揺動可能に設けられていることが好ましい。
本発明の液体吐出装置は、ラベル部、およびラベル部が貼付された台紙、を有するラベル用紙に対して液体を吐出する液体吐出部と、液体吐出部により液体が吐出されたラベル用紙を保持する保持状態と、ラベル用紙が移動可能であるラベル用紙を保持しない非保持状態と、になり得る保持部と、ラベル用紙が液体吐出部から保持部に向かう方向に送られる送り経路において保持部よりも下流側に設けられ、台紙からラベル部を剥離する剥離部と、を備え、剥離部は、第１位置と、第１位置より保持部に近い第２位置との間で移動可能であり、台紙を折り返す剥離部材と、送り経路において剥離部材よりも下流側に設けられ、ラベル用紙を送る送り部と、を有し、剥離部材は、保持部により保持された状態で送り部により送られるラベル用紙により押圧されることで、第１位置から第２位置に向かう方向に移動する。
本発明のラベル剥離方法は、液体吐出装置により液体が吐出され、液体吐出装置から送られるラベル用紙を、保持部により保持し、保持部により保持された状態で、ラベル用紙が液体吐出装置から保持部に向かう方向に送られる送り経路において保持部よりも下流側に設けられ、台紙を折り返す剥離部材より、送り経路において下流側に設けられる送り部により台紙を送り、剥離部材が、保持部により保持された状態で送り部により送られる台紙により、第１位置から、第１位置より保持部に近い第２位置に向かう方向に押圧され、剥離部材の第１位置から第２位置に向かう方向の移動により、台紙からラベル部が剥離される。
なお、以下の構成でもよい。
本発明のラベル剥離装置は、ラベル部、およびラベル部が貼付された台紙、を有するラベル用紙に対して液体を吐出する液体吐出装置から送られてきた、ラベル用紙を保持する保持状態と、ラベル用紙を保持しない非保持状態と、になり得る保持部と、ラベル用紙の送り経路において保持部よりも下流側に設けられ、台紙からラベル部を剥離する剥離部と、を備え、剥離部は、保持部から離れた剥離開始位置と、保持部に近づいた剥離終了位置との間で往復移動可能であり、ラベル用紙のうち台紙のみを折り返す剥離部材と、ラベル用紙の送り経路において剥離部材よりも下流側に設けられ、ラベル用紙を送る送り部と、を有し、剥離部材は、保持部により保持された状態で送り部により送られるラベル用紙により押圧されることで、剥離開始位置から剥離終了位置に移動することを特徴とする。